(57)【要約】本発明は、ユーザが個人用テレテキストページを作成することを可能にする、テレテキストページを受信及び表示する装置に関する。ユーザは、テレテキストページから興味のある部分に印をつけ、これらの部分を個人用テレテキストページにおいて利用可能にすることにより前記ユーザの個人用テレテキストページを作成することができる。前記個人用テレテキストページは編集されることができ、前記個人用テレテキストページの様々な部分がリアルタイムで更新されることができる。
2006512791.tif 000002
【特許請求の範囲】
【請求項１】
テレテキストページを受信及び表示する装置において、
前記受信されたテレテキストページの少なくとも１つの第１テレテキストページの少なくとも１つの部分に印をつけ、
選択された部分を供給するのに適した第２テレテキストページを作成し、
前記印をつけられた部分を選択することにより前記第２テレテキストページにおいて前記印をつけられた部分を利用可能にする、
モジュール３を有することを特徴とする装置。
【請求項２】
前記モジュールが、前記第２テレテキストページの前記選択された部分に他の選択された部分を追加するのに適している、請求項１に記載の装置。
【請求項３】
前記印をつけられた部分が、前記第１テレテキストページの単一の行である、請求項１又は２に記載の装置。
【請求項４】
前記モジュールが、前記第１テレテキストページの前記部分の更新に応答してリアルタイムで前記第２テレテキストページの前記選択された部分を更新するのに適している、請求項１乃至３の何れか一項に記載の装置。
【請求項５】
前記モジュールは、前記選択された部分が前記第２テレテキストページにおいて利用可能にされた後に前記選択された部分を編集するのに適している、請求項１乃至４の何れか一項に記載の装置。
【請求項６】
前記選択された部分が、前記第２テレテキストページにおける単一行表示ウィンドウであり、前記モジュールが、少なくとも前記第１テレテキストページを前記ウィンドウ内で検索するのに適している、請求項５に記載の装置。
【請求項７】
前記モジュールが、前記選択された部分を前記第１テレテキストページへのリンクとして機能するようにするのに適している、請求項１乃至６の何れか一項に記載の装置。
【請求項８】
前記モジュールが、複数の第２テレテキストページを作成及び／又は追加するのに適している、請求項１乃至７の何れか一項に記載の装置。
【請求項９】
少なくとも第１テレテキストページの少なくとも１つの部分に印をつけ、
前記印をつけられた部分を選択することにより第２テレテキストページにおいて前記印をつけられた部分を利用可能にする、
ことにより選択された部分を供給するのに適した前記第２テレテキストページを作成するソフトウェアコード部分を少なくとも含むプロセッサ上で動作するコンピュータプログラム。
【請求項１０】
個人用テレテキストページにおいて、第１テレテキストページの印をつけられた部分を選択し、前記印をつけられた部分を前記個人用テレテキストページに取り込むことにより前記第１テレテキストページから利用可能にされた少なくとも１つの部分を有する個人用テレテキストページ。
【請求項１１】
請求項１乃至８の何れか一項に記載のモジュール又は請求項１０に記載のコンピュータプログラムを有する、テレテキストページを受信及び表示するのに適したテレビ装置。
【発明の詳細な説明】
【技術分野】
【０００１】
本発明は、テレテキストページを受信及び表示する装置に関する。更に本発明は、テレビ装置、個人用テレテキストページ及びこのような個人用テレテキストページを作成するコンピュータプログラムに関する。
【背景技術】
【０００２】
この１０年の間、人々は増加する情報量にさらされてきた。大量の情報を提供するソースの一例はテレテキストである。今日ではほとんど全てのテレビは、この種の情報を受信及び表示するのに適している。幾つかのテレテキストページは、最新ニュース又は株情報のような頻繁に更新される情報を提供する。
【０００３】
この増加する情報量を考えると、人々は、何れの情報に直面したいか及び何れの情報に直面したくないかの選択に多かれ少なかれ慎重にならざるを得ない。人々が選択的にテレテキストページを読むことを可能にするために、前記ページは、“最新ニュース”、“スポーツ”、“金融”及び“天気”のような主要なカテゴリに箇条書きにされていて、前記カテゴリは、様々なサブカテゴリを含むことができる。通常は番号が前記カテゴリ並びにページ及びサブページに割り当てられている。従って、前記情報は複数の異なるページ及びサブページに広がっていて、この結果として幾つかの情報アイテムに興味のあるユーザは、関心のある個別のページを呼び出す必要がある。テレテキストシステムの異なるユーザは、異なる情報のカテゴリに興味があることが多い。
【０００４】
欧州特許公開公報EP0513680B1は、テレテキスト情報用の送信及び受信システムを明らかにし、ここで特定の選択された主題（株、交通）に対する単一のテレテキストページは、放送側において前記テレテキストページを含むファイル内に集められる。このファイルは、圧縮技術を使用して受信側に送信される。前記ファイルは、前記受信側で解凍され、前記単一のページを構成する元のファイルに分割される。このシステムは、ユーザが関心のあるテレテキストページを選択することを可能にし、当該ページへの速いアクセスを提供する。
【０００５】
上で述べられた従来技術のテレテキストシステムに関する問題は、このようなテレテキストシステムのユーザが依然として興味のない情報に直面することである。EP513680のシステムのユーザにより選択された株のページは、例えば依然として前記ユーザにとって関係のない又は興味のない株情報を持つ行を有する。
【発明の開示】
【発明が解決しようとする課題】
【０００６】
本発明は、ユーザに関連した情報のみを前記ユーザに直面させるテレテキストシステム又は装置をユーザに提供することを目的とする。
【課題を解決するための手段】
【０００７】
この目的は、テレテキストページを受信及び表示するユーザ装置であって、
前記受信されたテレテキストページの少なくとも１つの第１テレテキストページの少なくとも１つの部分に印をつけ、
選択された部分を供給する（accommodate）のに適している第２テキストページを作成し、
前記印をつけられた部分を選択することにより前記第２テレテキストページにおいて前記印をつけられた部分を利用可能にする、
モジュールを有することを特徴とする当該装置を提供することにより達成される。
【０００８】
前記ユーザにこのモジュールを備えたこのような装置を提供することにより、前記ユーザは、テレテキストの１つの部分を選択することを可能にされ、この部分は他のページに対して利用可能にされることができ、これによりこのユーザは、例えば関連性の考慮から、テレテキストページの前記ユーザにより選択された部分のみを有する個人用テレテキストページを作成することができる。このモジュールは、従って、前記ユーザが、前記ユーザに関連のある又は興味のある情報のみに直面することを可能にする。
【０００９】
本発明の実施例において、前記モジュールは、以下個人用テレテキストページ（Personal Teletext Page）又は個人用テキストページ（Personal
Text Page）とも称される前記第２テレテキストページが、更に他の選択された部分により追加されることを可能にする。これらの選択された部分は、前記ユーザにより印をつけられ且つ選択されていれば、前記第１テレテキストページ若しくはサブページの他の部分から、又は他のテレテキストページ又はサブページから生じる。
【００１０】
本発明の実施例において、前記モジュールは、前記印をつけられた部分が前記第１テレテキストページの単一の行を有することを可能にする。これは、例えば、もし単一の公債が前記第１テレテキストページの単一の行に割り当てられていれば、前記ユーザがこの公債のみの株価に印をつけ、選択することを可能にする。
【００１１】
本発明の実施例において、前記個人用テレテキストページの前記選択された部分は、前記第１テレテキストページにおいて前記ユーザにより印をつけられ、選択された前記部分の更新に応答してリアルタイムで前記モジュールにより更新される。前記個人用テレテキストページ用のこのリアルタイム更新機能は、特定の株価、スポーツの結果及び交通情報のような前記ユーザの関心のある部分を有するテレテキストページ上の頻繁に変化する情報に対して特に有利である。
【００１２】
本発明の実施例において、前記モジュールは、前記選択された部分が前記個人用テレテキストページにおいて利用可能にされた場合に、前記個人用テレテキストページの前記選択された部分をユーザが編集することを可能にする。特に、前記モジュールは、前記ユーザが前記個人用テレテキストページ上の単一行表示ウィンドウ（single line display window）を使用して前記第１テレテキストページを検索することを可能にする。この機能は、前記ユーザが以前に選択された部分を変更することを可能にする。
【００１３】
本発明の実施例において、前記個人用テレテキストページの前記選択された部分は、前記選択された部分が利用可能にされた前記テレテキストページに対するリンクとして機能する。これは、従来のテキストリンク機能を最大４つのリンクから最大２３個のリンクに拡張する。
【００１４】
本発明の実施例において多種多様な情報に興味のあるユーザに対して、前記モジュールは、前記ユーザに複数の個人用テレテキストページを作成する可能性を提供する。
【００１５】
本発明は、上で述べられたようなモジュールを有するテレビ装置にも関する。
【００１６】
更に本発明は、コンピュータプログラム及び個人用テレテキストページに関する。前記コンピュータプログラムは、プロセッサ上で動作するのに適しており、少なくとも受信されたテレテキストページの少なくとも第１テレテキストページの少なくとも１つの部分に印をつけるソフトウェアコード部と、選択された部分を供給するのに適した第２テレテキストページを作成するソフトウェアコード部と、前記印をつけられた部分を選択することにより前記第２テレテキストページにおいて前記印をつけられた部分を利用可能にするソフトウェアコード部を含む。
【００１７】
前記個人用テレテキストページは、第１テレテキストページの印をつけられた部分を選択し且つ前記印をつけられた部分を前記個人用テレテキストページに取り込むことにより前記第１テレテキストページからの少なくとも利用可能にされた１つの部分を有する。
【００１８】
本発明の先の実施例又は先の実施例の態様は結合されることができることが指摘される。
【００１９】
本発明の実施例は、添付図面を参照して下でより詳細に記述される。
【発明を実施するための最良の形態】
【００２０】
図１Ａにおいて、テレテキストページを受信し、これらのページをディスプレイ２に表示するユーザ装置１と遠隔制御部４とを有するシステムが示される。このようなユーザ装置１の例は、テレテキストデコーダ又はモジュール３を有するテレビ装置である。例えば、１ページ、１０ページ及び１００ページデコーダが存在する。デコーダチップの例は、８０５１マイクロコントローラを有するテレビ信号プロセッサであるＴＤＡ９５６Ｘである。
【００２１】
１０ページデコーダは、同時に１０個までの異なるテレテキストページをデコード及び記憶することができる。テレテキストページは、ソフトウェアにより指定されたメモリブロックに記憶され、このメモリブロックは、固定開始アドレス（ｈで示される十六進法）を有する。例えば１０ページデコーダは、１０個のメモリブロックを有し、ブロック０はメモリアドレス２０００ｈに開始し、２３ｆｆｈまでであり、ブロックIは２８００ｈに開始し、２ｂｆｆｈまでであり、以下同様である。各メモリブロックは、１つのテレテキストページを記憶するために使用されることができる。テレテキストページ２００は、ブロックIに記憶されることができる。テレテキストページをディスプレイ２に表示するために、メモリブロックは表示メモリとして指定される。異なるテレテキストデコーダは、テレテキスト情報を記憶する異なるメモリアドレスを有することができる。
【００２２】
遠隔制御部４はユーザ装置１と通信し、ユーザは、キーセット５及び６のキーを押すことによりユーザ装置１の動作を制御することができる。遠隔制御部４は、通常は更に多くのキー（図示されない）を有すると理解される。
【００２３】
本発明の目的のために、より具体的には、遠隔制御部４はモジュール３と通信する。このモジュール３は、図１Ｂに示されるように様々なサブモジュール３ａ、３ｂ及び３ｃを有する。これらのモジュールはソフトウェアモジュールであることができる。前記テレテキストページはモジュール３において受信される。サブモジュール３ａは、前記ユーザが受信されたテレテキストページの１つの部分に印をつけることを可能にする。サブモジュール３ｂは個人用テレテキストページを作成するのに適している。サブモジュール３ｃは、前記印をつけられた部分が前記ユーザにより選択される場合に前記個人用テレテキストページに対して前記印をつけられた部分を利用可能にする。
【００２４】
テレテキストの多くのユーザに対して、関連のある情報は、複数の異なるテレテキストページに広がっている。図２Ａにおいて、ユーザ装置１において受信された６つのテレテキストページのみが前記ユーザに関連のある情報を含む状況が示される。ユーザ装置１のディスプレイ２に示されたこの６つのページは、ページ番号２００、３０５、４００、４０３、１０３及び８００を有する（ディスプレイ２に示されたページは、便宜上２ａ、２ｂ、２ｃ、２ｄ、２ｅ及び２ｆにより示され、しかしながら、前記ページは通常は単一のディスプレイ２、例えばテレビ画面に表示される）。
【００２５】
１つのテレテキストページは２５行を有し、各行は４０文字を有する。各テレテキストの行は、メモリブロック内の固定オフセットにおいて前記ページに対するメモリブロックに記憶される。例えば、メモリブロックIのアドレス２８００ｈに記憶されたページ２００に対して、第１行は、メモリアドレス２８２０ｈにおいて開始する。
【００２６】
しばしばユーザは、同じテレテキストページの１つ又は２つの部分、例えば特定の情報の行のみに興味がある。図２Ａを参照すると、関心のある部分／行は、それぞれ部分aaaaaa、bbbbbb、dddddd、eeeeee、ffffff及びggggggとして示される。ユーザ装置１はモジュール３内に印をつける機能を提供するサブモジュール３ａを有するので、テレテキストページ２００、３０５、４００、４０３、１０３及び８００のこれらの部分は、前記ユーザにより印をつけられることができる。後の便宜のため、前記部分はこれらの行を指すと仮定される。印をつけることができる部分は如何なる種類の情報をも有することができ、即ち本発明は前記テレテキストページ又はその一部に存在する情報の種類に依存しないことが理解されるであろう。
【００２７】
この印をつける機能は、サブモジュール３ａにより容易化される。前記ユーザは、モジュール３と協働する遠隔制御部４を使用してテレテキストページ内の行に印をつけることができる。もし前記ユーザがページ２００の行aaaaaaに興味があるならば、第１ブロックＩが表示メモリとして指定され、この結果としてページ２００が、ディスプレイ２に表示される。モジュール３ａは、第一にこのブロックの書き換えを防止するためにブロックＩを保持することができる。第１行のメモリ位置が計算される。サブモジュール３ａは、この場合、前記第１行のある種の強調／点滅を与えるために２８２０ｈにおける第１行において０８ｈを２０ｈにおける第１文字に上書きする。前記テレテキストページの行の第１列における“！”の表示のような、行を強調する又は印をつける多くの代替案が存在することが理解されるであろう。
【００２８】
もし前記ユーザが第２行aaaaaaに興味があるならば、前記ユーザは、遠隔制御部４のキーセット６の下（DOWN）キーを押すことによりこの第２行に印をつけることができる。モジュール３ａは、この場合、メモリ位置２８２０ｈにおける前記第１行のコンテンツの元の値を回復し、これは元の表示形式が回復されることを意味する。メモリ位置２８４０ｈにおける前記第２行は、この場合、図２Ｂに陰影領域により示されるように、前記第１行に対して記述されたものと同じように印をつけられる。
【００２９】
遠隔制御部４から特定の信号を受信することにより、モジュール３ｂは、（複数の）前記第１テレテキストページから選択された部分を供給するのに適した個人用テレテキストページを作成するために作動される。この信号は、ユーザが例えば遠隔制御部４におけるキーセット５のキーの１つである個人用テキスト編集（EDIT PERSONAL TEXT）キーを押す場合に、遠隔制御部４から生じる。新しく作成された個人用テレテキストページは、空であることができる。この空のページは、前記ユーザに対してディスプレイ２に示されることができるか、又は前記ユーザは新しいページが作成されたことを警告される。
【００３０】
遠隔制御部４から更に他の信号を受信することにより、モジュール３、又はより具体的にはサブモジュール３ｃは、前記個人用テレテキストページにおいて受信されたテレテキストページの選択された部分を利用可能にするために作動されることができる。この更に他の信号は、前記ユーザがテレテキストページの好適な行に印をつけ、選択する場合に、生成されることができる。例えばもし前記ユーザが前記ユーザの個人用テレテキストページに対してページ２００の第２行aaaaaaを持つと決めれば、前記ユーザは、遠隔制御部４のキーを押すことによりこの行を選択することができる。ページ番号及び行番号が記憶され、この行のコンテンツは、サブモジュール３ｃにより前記個人用テレテキストページに対して利用可能にされる。
【００３１】
モジュール３は、まず表示メモリとしてメモリブロック、例えばブロックＩを指定し、次いでテキストページ２００を記憶するために例えばブロック０を指定する。本例において、ブロックＩは、ここでユーザ装置１のディスプレイ２に前記個人用テレテキストページを表示するために使用されているので、ページ２００に対するテキストページとして指定されることができないことに注意する。この情報がメモリブロック０に存在する場合に、サブモジュール３ｃは、前記個人用テレテキストページにおいてブロック０に存在するテキストページの好適な行を利用可能にする。こうするために、サブモジュール３ｃは、ページ２００の第２行（メモリブロックはアドレス２８４０ｈにおいて開始する）のコンテンツをブロックＩにコピーすることができる。行aaaaaaがディスプレイ２に表示されることになる。
【００３２】
この手順は、同じ又は他のテレテキストページであってもよい前記ユーザの興味のある他の行に対して繰り返されることができる。サブモジュール３ｃは、前記個人用テレテキストページにページ３０５からのbbbbbbのような前記ユーザにより選択された他の部分を追加する際に先入れ先出しアルゴリズムを使用することができる。前記ユーザが図２Ａに示される６つのページにおいて行を選択した後に、サブモジュール３ｃは、前記個人用テレテキストページにおいて選択された部分として前記第１テレテキストページの以下の部分、即ち
行１：ページ２００、行２；
行２：ページ３０５、行２２；
行３：ページ４００、行１６；
行４：ページ４０３、行１３；
行５：ページ１０３、行１；
行６：ページ８００、行２３；
を利用可能にする。
【００３３】
前記ユーザは、例えば遠隔制御部４のキーセット５の一部である個人用テキスト編集キーを再び押すことにより編集モードを離れることができる。
【００３４】
前記ユーザは、遠隔制御部４のキーセット５の他のキーである個人用テキスト（PERSONAL TEXT）キーを押すことにより前記個人用テレテキストページを作動することができる。モジュール３は、図３に示されるようにユーザ装置１のディスプレイ２に前記個人用テキストページを表示することになる。サブモジュール３ｃは、前記個人用テレテキストページを作成するときに前記ユーザにより定められたページ２００、３０５、４００、４０３、１０３及び８００から選択された行を取り出すことにより、各選択された行の内容が前記個人用テキストページにおいて利用可能になることを可能にする。
【００３５】
図４において、本実施例のフィーチャが示され、ここで前記個人用テレテキストページの選択された行がリアルタイムで更新される。ページ３０５の行２２に含まれる情報が更新される（“更新された情報（updated information）”として示される）状況が示され、この更新の直後に、前記個人用テレテキストページの前記選択された部分の更新が続く。より具体的にするには、ページ３０５の選択された行の更新がモジュール３により検出された場合に、サブモジュール３ｃは、前記個人用テレテキストページにおいて前記更新された行を利用可能にする。本実施例のこの更新フィーチャは、前記個人用テレテキストページにおける１つ、複数又は全ての選択された部分に対して実施される。ユーザが前記個人用テレテキストページを呼び出す場合、最新の関連情報が、前記ユーザに対してユーザ装置１のディスプレイ２に示される。装置１の前記ユーザは、前記個人用テレテキストページに表示されることを前記ユーザが望む情報の種類に対する前記ユーザの関心が変わるかもしれない。モジュール３は、前記個人用テレテキストページ又はその選択された部分を編集する編集機能を提供する。この機能は、図５に図示される。ディスプレイ２に前記個人用テレテキストページを表示する間に、前記ユーザは、前記ユーザの遠隔制御部４のキーセット５の個人用テキスト編集キーを押すことができる。前記ユーザは、例えば遠隔制御部４の上下（UP/DOWN）キー（キーセット６）を使用して前記個人用テレテキストページの選択された部分を強調（図５Ａにおいて陰影領域により示される）することにより選択することができる。図５Ａにおいて、この部分はページ４００の行ddddddである。同様にキーセット６に属する左右（LEFT/RIGHT）キーは、特定のテキストページ４００へのリンクを提供するサブモジュール３ｃにより前記個人用テキストページにおいて利用可能にされる特定のテキストページ４００をユーザが検索することを可能にする。
【００３６】
前記個人用テキストページにおける各行は、前記特定のテキストページに対して、図５Ａの７により示される単一行表示ウィンドウとして使用されることができることが好ましい。従って、モジュール３は、ユーザが遠隔制御部４を使用して特定のテキストページを検索することができるディスプレイ２上の行ウィンドウ７を示す手段を備える。これは、前記特定のテキストページ、ここでは図２Ａの表示２ｃに示されたページ４００は、前記個人用テキストページにおけるウィンドウ７を通して部分的に“見られる”ことができることを意味する。前記ユーザは、前記特定のテキストページを行ごとに検索するためにウィンドウ７を使用することができる。これは、図５Ｂ及び５Ｃにおいて行“不所望な行n+1（unwanted line n+1）”及び“不所望な行n-1（unwanted line n-1）”により示され、これらの行は、それぞれページ４００の行ddddddに先行及び後続する。もし例えば遠隔制御部４のキーセット６の右キーが押されるならば、図５Ｂに示された前記個人用テレテキストページのコンテンツが得られ、前記コンテンツは、サブモジュール３ｃにより前記個人用テレテキストページに対して利用可能にされる。もしキーセット６の左キーが押されるならば、図５Ｃに示される前記個人用テレテキストページが得られる。もし前記ユーザが、例えばキーセット５の前記個人用テキスト編集キーを再び押すことにより前記編集機能から離れるならば、新しい行はサブモジュール３ｃにより保存されるであろう。前記個人用テレテキストページに記録された新しいページ及び行情報は、以前の行番号を置き換えることになり、これにより前記個人用テレテキストページにおける前記選択された行は、
行１：ページ２０５、行２２；
行２：ページ３０５、行１；
行３：ページ４００、行１５；
行４：ページ４０３、行１３；
行５：ページ１０３、行１；
行６：ページ８００、行２３；
となる。
【００３７】
モジュール３は、遠隔制御部４からの適切な信号が受信されるならば、前記個人用テレテキストページがテキストリンクとして使用されることを可能にする。前記ユーザは、まずキーセット６の前記上下キーを押すことにより前記個人用テレテキストページの選択された部分を選択することができる。前記適切な信号は、この後に前記ユーザがテキストモード（TEXT MODE）キーを押すことにより生成されることができ、前記テキストモードキーは、前記部分が選択される前記ページをユーザ装置１のディスプレイ２に表示するようにモジュール３に指示するキーセット５の他のキーである。例えばもし前記個人用テレテキストの第３行がページ４００にリンクされていれば、前記ユーザは、前記個人用テレテキストページの前記第３行を選択し、遠隔制御部４の前記テキストモードキーを押してユーザ装置１のディスプレイ２にページ４００を表示することができる（図２において表示２ｃに示される）。代替的に前記個人用テレテキストページの前記第３行の選択後に、前記ユーザは、キーセット６の前記左右キーを押して前記個人用テレテキストページにおいてページ４００を行ごとに検索することができる。新しい行番号は、前記個人用テレテキストページにおいて使用するためにサブモジュール３ｃにより記録されないであろう。もし特定のページの最後の番号が到達され、もう１回前記右キーが押されるならば、ページ番号が１だけ（この例ではページ４０１に）増加することになり、前記新しい行番号は、１にリセットされることになる。
【００３８】
サブモジュール３ｂは、複数の個人用テレテキストページを作成するのに適している。このフィーチャは、たとえ関連性の情報がもはや単一の個人用テレテキストページに配置されることができないとしても、特定のユーザが前記ユーザに関連のあるたくさんの情報に直ちにアクセスすることができることを可能にする。更にこのフィーチャは、異なる種類の情報に興味があるコミュニティのメンバー、例えば家族が、同じユーザ装置１を使用するコミュニティの各メンバーに対して個人用テレテキストページを作成することを可能にする。
【００３９】
上記から、本発明の実施例が前記ユーザに対してテレテキスト情報を読むことをより便利にすることは明らかであろう。前記ユーザは、単一のページ上で前記ユーザの興味のある又は関連のある全ての情報を読むことができる。更に前記ユーザは、前記ユーザの情報を個人用にする、即ち前記ユーザの嗜好に従って前記個人用テレテキストページを構成することができる。前記ユーザは、例えば前記ユーザの個人用株ページを作ることができる。前記個人用テレテキストページは、もはや興味のある情報を探す前記ユーザに様々な異なるテレテキストページを検索することを強いることはなく、この結果として時間が節約されることができる。特定の利点は、一度前記ユーザが個人用テレテキストページを作成してしまえば、前記ユーザは、もはや関連のある情報を含むページ又はサブページを覚える、待つ又は探す必要がなくなることである。ユーザに見える１ページの情報のみの代わりに、前記モジュールにより記憶された全ての情報が前記個人用テレテキストページにおいて前記ユーザに見えるようにされるので、テレテキストデコード装置の機能は完全に使用される。このテキストリンク機能は、最大４つのリンクから最大２３のリンクに拡張される。
【００４０】
本発明を教える目的のために、前記装置及び前記個人用テレテキストページの好適な実施例が上に記述された。本発明の他の代替及び同等な実施例が、本発明の真の精神、請求項によってのみ制限される本発明の範囲から外れることなく考案され、実現されることができることは、当業者に明らかであろう。
【図面の簡単な説明】
【００４１】
【図１Ａ】テレテキストページを受信及び表示するユーザ装置と前記装置を制御する制御装置とを有するシステムを示す。
【図１Ｂ】テレテキストページを受信及び表示するユーザ装置と前記装置を制御する制御装置とを有するシステムを示す。
【図２Ａ】特定のユーザの興味のある部分を有する６つのテレテキストページを示す。
【図２Ｂ】特定のユーザの興味のある部分を有するテレテキストページを示す。
【図３】個人用テレテキストページの例を示す。
【図４】個人用テレテキストページに対するリアルタイム更新機能を図示する。
【図５Ａ】個人用テレテキストページに対する編集機能を図示する。
【図５Ｂ】個人用テレテキストページに対する編集機能を図示する。
【図５Ｃ】個人用テレテキストページに対する編集機能を図示する。
2006512791.tif 000003
【図２Ａ】
2006512791.tif 000004
【図２Ｂ】
2006512791.tif 000005
【図３】
2006512791.tif 000006
【図４】
2006512791.tif 000007
【図５Ａ】
2006512791.tif 000008
【図５Ｂ】
2006512791.tif 000009
【図５Ｃ】
2006512791.tif 000010
【国際調査報告】
2006512791.tif 000011
2006512791.tif 000012
2006512791.tif 000013